(57)【要約】【課題】ユーザが乗車駅、降車駅の入力操作をすることなく、または事前登録することなく、利用駅における路線情報を自動案内することの出来る携帯端末を提供することにある。【解決手段】携帯端末１０が自動改札機５０にタッチすると、自動改札機５０によって書込まれたＩＣチップ情報の利用駅１０４３を取得するとともに、利用履歴テーブル１０９０から降車駅候補を抽出する。そして、携帯端末１０は経路案内サーバ７０を介して利用駅１０４１を出発駅、降車候補駅を到着駅とする検索条件の経路検索処理を実行し、検索結果である経路情報を取得すると、取得した経路情報から経路リスト１０２０ａを生成してタッチパネル１０５に表示する。【選択図】図２
2017220101.tif 000002
【特許請求の範囲】
【請求項１】
近距離無線通信方式による自動改札装置に対応する携帯端末において、
前記自動改札装置にタッチする毎に、当該自動改札装置が設置された駅に係る駅情報を取得する駅情報取得手段と、前記取得した駅情報に基づいて乗降した駅に係る情報を蓄積する駅情報蓄積手段と、を有し、
前記自動改札装置にタッチした場合に、前記駅情報蓄積手段を参照して現駅以外の駅の全てまたは一部を表示し、前記表示した駅のいずれかが選択された場合に、現駅から前記選択された駅までの行程およびまたは時刻表に係る情報を表示して案内することを特徴とする行程自動案内機能を有する携帯端末。
【請求項２】
請求項１に記載の携帯端末において、
前記選択された駅の自動改札装置にタッチする以前に他の駅の自動改札装置へのタッチを検出した場合に、所定時間内に自動改札装置へのタッチを検出したならば、前記選択された駅までの行程に係る情報の案内を継続し、前記所定時間内に自動改札装置へのタッチを検出しないならば、前記選択された駅までの行程に係る情報の案内を停止することを特徴とする行程自動案内機能を有する携帯端末。
【請求項３】
請求項１または２に記載の携帯端末において、
行程の案内を起動すべき駅または日時情報または特定操作を登録する起動イベント登録手段をさらに有し、
前記自動改札装置にタッチした場合に、当該タッチした時の状況が前記登録されている起動すべき駅または日時情報または特定操作のいずれかに一致したならば、前記駅情報蓄積手段を参照し、現駅以外の駅の全てまたは一部を表示し、前記表示した駅のいずれかが選択された場合に、現駅から前記選択された駅までの行程およびまたは時刻表に係る情報を案内することを特徴とする行程自動案内機能を有する携帯端末。
【発明の詳細な説明】
【技術分野】
【０００１】
本発明は、駅において、当該駅に発着する列車の時刻表情報、路線情報、当該駅の地図情報、当該駅近辺のサービス情報を表示する携帯端末に関する。
【背景技術】
【０００２】
従来から、列車やバスの路線情報（乗車駅から降車駅までの発着時刻、運賃、路線、番線等）を調べる方法として、携帯端末を用いて経路検索サーバにアクセスし、乗車駅、降車駅を入力して調べるという方法がある。しかしこの方法は、手操作で乗車駅、降車駅を入力しなければならず煩雑であった。
【０００３】
これを解決するための技術として、例えば、特許文献１には、ＩＣ情報管理サーバに予めＩＣ乗車券のＩＣ情報（例えば、Ｓｕｉｃａ（登録商標））と、ユーザが事前登録した乗車駅と降車駅のセット情報と、該ユーザが携行する携帯端末のメールアドレスと、を対応付けて記憶しておき、ＩＣ情報管理サーバが、改札機から前記ＩＣ乗車券が改札口にタッチしたことの通知を受けると、タッチされた改札口の駅名を取得し、取得した駅名と前記セット情報の乗車駅の駅名とが一致する場合に、現在時刻での当該乗車駅に対応する降車駅までの路線情報を取得し、対応する携帯端末のメールアドレス宛に配信する技術が記載されている。
【０００４】
しかしながら、特許文献１の技術では、事前に乗車駅と降車駅をＩＣ情報管理サーバに登録しておかなければならない。また、事前登録した乗車駅と降車駅の特定区間の路線情報しか取得できないという問題もある。
【先行技術文献】
【特許文献】
【０００５】
【特許文献１】特開２０１１−１００１７６号公報
【発明の概要】
【発明が解決しようとする課題】
【０００６】
本発明は上記問題を鑑みてなされたものであり、その課題は、ユーザが乗車駅、降車駅を入力することなく、また事前に情報を登録することなくユーザが入場した駅における路線情報を案内することが出来る携帯端末を提供することにある。
【課題を解決するための手段】
【０００７】
上記課題を解決するために、本発明は、近距離無線通信方式による自動改札装置に対応する携帯端末において、前記自動改札装置にタッチする毎に、当該自動改札装置が設置された駅に係る駅情報を取得する駅情報取得手段と、前記取得した駅情報に基づいて乗降した駅に係る情報を蓄積する駅情報蓄積手段と、を有し、前記自動改札装置にタッチした場合に、前記駅情報蓄積手段を参照して現駅以外の駅の全てまたは一部を表示し、前記表示した駅のいずれかが選択された場合に、現駅から前記選択された駅までの行程およびまたは時刻表に係る情報を表示して案内することを特徴とする。
【発明の効果】
【０００８】
本発明によれば、ユーザが携帯端末を使って改札機にタッチし駅構内へ入場すると、携帯端末は、タッチされた際に改札機によって自携帯端末のＩＣ情報に書き込まれた入場時の駅名を抽出し、これまでの駅の利用履歴から降車する候補を抽出する。そして、携帯端末は、路線検索サーバにアクセスして入場時に抽出した駅名を乗車駅、利用履歴から抽出した降車する候補を降車駅とする経路情報を取得し、自装置の表示部に表示する。
【０００９】
これにより、ユーザは、改札機にタッチするだけで、簡単に入場した駅における路線情報を取得することができる。
【図面の簡単な説明】
【００１０】
【図１】本発明の携帯端末を含む改札システムの全体構成図である。
【図２】本発明の携帯端末の機能ブロック構成図である。
【図３】本発明のＩＣチップ記憶部に記憶されたＩＣチップ情報テーブルを模式的に表した図である。
【図４】本発明の携帯端末の利用履歴記憶部に記憶された利用履歴テーブルを示す図である。
【図５ａ】本発明の携帯端末の経路情報記憶部に記憶されている経路リストを模式的に表した図である。
【図５ｂ】本発明の携帯端末のタッチパネル上に表示される詳細情報を模式的に表した図である。
【図６】本発明の携帯端末の動作フローチャートである。
【発明を実施するための形態】
【００１１】
以下、本発明を実施する形態について、図面を用いて説明する。
【００１２】
図１は、本発明の携帯端末１０を含む改札システムの全体構成図である。
【００１３】
図示するように、改札システムは、本発明の発明対象である携帯端末１０と、無線基地局２０と、ネットワーク３０と、ＩＣ管理サーバ４０と、自動改札機５０と、駅務システム６０と、経路案内サーバ７０と、から構成される。
【００１４】
携帯端末１０は、ＮＦＣ（Ｎｅａｒ  ｆｉｅｌｄ  ｒａｄｉｏ  ｃｏｍｍｕｎｉｃａｔｉｏｎ）等の近距離無線通信機能と、Ｆｅｌｉｃａ（登録商標）等の非接触型ＩＣカード機能（以下、ＩＣチップ情報と呼称。）を用いた電子決済機能と、を備えた汎用的な携帯電話機（例えば、スマートフォン）である。また、携帯端末１０は、無線基地局２０に帰属し、当該無線基地局２０を介した無線通信を行う。
【００１５】
無線基地局２０は、ネットワーク３０に接続され、ネットワーク３０上の図示しない移動通信制御局に接続して電話交換、データ通信処理を行う汎用的な基地局である。
【００１６】
ネットワーク３０は、インターネット網と携帯端末１０の携帯電話網を兼ねた公衆網ネットワークである。
【００１７】
ＩＣ管理サーバ４０は、携帯端末１０に搭載されたＩＣチップ情報を管理し、自動改札機５０から電子決済処理要求を受け付けると、電子決済処理を実行する汎用の電子決済処理サーバである。
【００１８】
自動改札機５０は、携帯端末１０にタッチされるとＩＣ管理サーバ４０と連携して当該携帯端末１０の列車運賃に係るＩＣチップ情報の読出し・書込み処理を行うと共に、ＩＣ管理サーバ４０と連携して、電子決済処理を行う汎用の自動改札機である。
【００１９】
尚、本実施例では自動改札機５０がＩＣ管理サーバ４０と連携して電子決済処理を実行しているが本願はこれに限定しない。例えば、携帯端末１０が無線基地局２０を介し、さらに前述の携帯電話網を介してＩＣ管理サーバ４０に接続し、電子決済処理を実行するようにしてもよい。
【００２０】
駅務システム６０は、駅等で用いられる業務機器であり、自動改札機５０や図示しない券売機など駅務機器全般を管理する管理装置である。また、駅務システム６０は、ネットワーク３０に接続し、自動改札機５０からの電子決済処理に係るデータをＩＣ管理サーバ４０に中継する。
【００２１】
経路案内サーバ７０は、ネットワーク３０に接続し、乗車駅および降車駅の駅情報を含む経路検索要求を受け付けると、現在時刻における当該乗車駅および降車駅区間におけるダイヤ情報を含む路線情報を検索し、検索結果を経路情報として要求元に通知する汎用の経路案内サーバである。ここで経路情報とは、列車情報、発車時刻、到着時刻、乗換駅、運賃等、列車を利用して乗車駅から降車駅まで移動するのに必要な情報を意味する。
【００２２】
図２は、本発明の携帯端末１０の機能ブロック図である。図示するように、携帯端末１０は、端末制御部１０１と、無線通信部１０２と、ＩＣチップ制御部１０３と、ＩＣチップ記憶部１０４と、タッチパネル１０５と、送受話部１０６と、呼制御部１０７と、ＩＣ情報監視部１０８と、利用履歴記憶部１０９と、経路情報取得部１１０と、主制御部１１１と、経路情報記憶部１１２と、から構成される。
【００２３】
端末制御部１０１は、携帯端末１０の端末動作に係る処理全般を行う。
【００２４】
無線通信部１０２は、携帯端末１０の無線通信に係る処理全般を行う。
【００２５】
ＩＣチップ制御部１０３は、前記近距離無線通信機能を処理し、携帯端末１０が自動改札機５０にタッチされると、当該自動改札機５０からの要求に応じて、ＩＣチップ記憶部１０４にＩＣチップ情報の書込みおよび読出しを行う。
【００２６】
ＩＣチップ記憶部１０４は、非接触型ＩＣカード機能におけるＩＣチップ情報を記憶する記憶部である。次に、図３を用いてＩＣチップ情報の書込みおよび読出しの処理方法について説明する。
【００２７】
図３は、本発明のＩＣチップ記憶部１０４に記憶されたＩＣチップ情報テーブル１０４０を模式的に表した図である。図示するように、ＩＣチップ情報１０４０は、自動改札機５０または電子決済端末（お店のレジ台に接続し電子決済処理を行うタグリーダ・ライタ）における電子決済処理によるサービスの種別（例えば、入場・出場・物販）を記憶する種別フィールド１０４１と、当該サービスを利用した日時を記憶する日時フィールド１０４２と、当該種別が駅における「入場」または「退場」であった場合に、利用した駅の駅名を記憶する利用駅フィールド１０４３とから構成される。
【００２８】
駅構内に入る際、自動改札機５０に携帯端末１０をタッチすると、ＩＣチップ制御部１０３は、自動改札機５０からの要求に従い、ＩＣチップ情報テーブル１０４０の種別１０４１に「入場」を、日時１０４２に入場した日付および時刻を、利用駅１０４３に駅名をそれぞれ記憶する。また、駅構内から出る際、自動改札機５０に携帯端末１０をタッチすると、ＩＣチップ制御部１０３は、ＩＣチップ情報テーブル１０４０の種別１０４１に「出場」を、日時１０４２に退場した日付および時刻を、利用駅１０４３に駅名をそれぞれ記憶する。
【００２９】
尚、本実施例では種別１０４１に記憶する情報としては、「入場」、「出場」を例に説明するが、本願はこれに限定されない。例えば、駅の売店で使用した場合は、種別フィールドに「物販」を記憶するようにしてもよいし、列車の乗継ぎのために、駅構内から別の路線の構内へ乗継ぐ場合は、「＊入」を記憶するようにしてもよい。
【００３０】
また、ＩＣチップ情報テーブル１０４０はあくまで例であり、上述したフィールドのほかにもＩＣ乗車券に用いるサイバネ規格で規定された情報を利用するようにしてもよい。図２の説明に戻る。
【００３１】
タッチパネル１０５は、ＬＣＤ（Ｌｉｑｕｉｄ  Ｃｒｙｓｔａｌ  Ｄｉｓｐｌａｙ）等の表示機およびユーザ操作を受け付け可能な入力機器が一体化された入出力インタフェースある。
【００３２】
送受話部１０６は、電話における受話器であり、送話用のマイクと受話用のスピーカを含むマンマシンインタフェースである。
【００３３】
呼制御部１０７は、電話機能における呼処理全般を制御する。具体的には、ＳＩＰ（Ｓｅｓｓｉｏｎ  Ｉｎｉｔｉａｔｉｏｎ  Ｐｒｏｔｏｃｏｌ）等の呼制御プロトコルに従い、通話先である図示しない相手ＩＰ電話端末との間にセッションを確立し、ＲＴＰ（Ｒｅａｌｔｉｍｅ  Ｔｒａｎｓｐｏｒｔ  Ｐｒｏｔｏｃｏｌ）等のデータ転送プロトコルに従い、この確立されたセッションを介してここでは図示しない相手ＩＰ電話端末と通話データをやり取りする。
【００３４】
ＩＣ情報監視部１０８は、ＩＣチップ記憶部１０４を監視し、ＩＣチップ情報テーブル１０４０の種別１０４１に「入場」または「出場」の情報が書き込まれたことを検知すると、日時１０４２、利用駅１０４３の情報を抽出し、当該携帯端末のユーザがこれまで利用した駅の履歴を示す利用履歴テーブル１０９０に記憶して情報を更新する。
【００３５】
次に、図４を用いて、利用履歴テーブル１０９０の更新方法について説明する。
【００３６】
図４は、本発明の携帯端末１０の利用履歴記憶部１０９に記憶されている利用履歴テーブル１０９０を模式的に表した図である。
【００３７】
図示するように、利用履歴テーブル１０９０は、入場駅を登録するフィールド１０９１と、入場時刻を登録するフィールド１０９２と、出場駅を登録するフィールド１０９３と、出場時刻を登録するフィールド１０９４とから構成される。
【００３８】
ＩＣ情報監視部１０８は、ＩＣチップ情報テーブル１０４０の種別１０４１に「入場」の書込みを検知すると、「入場」が書き込まれたレコードの日時１０４２と利用駅１０４３を抽出する。そして、ＩＣ情報監視部１０８は、利用履歴テーブル１０９０にレコードを追加して、当該レコードの入場駅１０９１に利用駅１０４３の値を、入場時刻１０９２に日時１０４２の値をそれぞれ記憶する。また、種別１０４１に「出場」の書込みを検知すると、当該「出場」が書き込まれたレコードの日時１０４２と利用駅１０４３を抽出する。そして、ＩＣ情報監視部１０８は、利用履歴テーブル１０９０から出場駅１０９３と出場時刻１０９４が記憶されていないレコードを参照し、参照したレコードの出場時刻１０９４に抽出した日時１０４２を、参照したレコードの出場駅１０９３に抽出した利用駅１０４３をそれぞれ記憶する。図２の説明に戻る。
【００３９】
経路情報取得部１１０は、主制御部１１１から検索条件と経路検索の指示を渡されると、経路案内サーバ７０にアクセスし、渡された検索条件を含む経路検索要求を送信して、当該経路案内サーバ７０より取得した経路情報を主制御部１１１へ送信する。
【００４０】
主制御部１１１は、利用履歴記憶部１０９および経路情報取得部１１０、詳細情報記憶部１１２、端末制御部１０１と接続し、利用履歴テーブル１０９０の更新に応じて、他ブロックと連携してタッチパネル１０５に表示する表示情報に係る処理を行う。
【００４１】
具体的には、主制御部１１１は、利用履歴テーブル１０９０の入場駅１０９１が更新されたことを検出すると、更新された入場駅１０９１の駅名を「乗車駅」として抽出する。さらに当該利用履歴テーブル１０９０の入場駅１０９１と出場駅１０９３を参照して、抽出した「乗車駅」以外の駅名の全てを「降車駅候補」として抽出する。そして、主制御部１１１は、「乗車駅」を出発駅、「降車駅候補」の全てを到着駅とする検索条件を経路情報取得部１１０に渡すと共に、経路検索の処理を指示する。
【００４２】
そして、経路情報取得部１１０から検索結果として複数の経路情報を取得した主制御部１１１は、当該経路情報を経路情報記憶部１１２に記憶する。
【００４３】
主制御部１１１は経路情報記憶部１１２に記憶した経路情報から経路リスト１１２０ａを生成し、生成した経路リスト１１２０ａをタッチパネル１０５に一定時間表示する（例えば１０秒）。
【００４４】
図５ａは、本発明の携帯端末１０の経路情報記憶部１１２に記憶されている経路リスト１１２０ａを模式的に表した図である。図示する様に経路リスト１１２０ａは、経路情報取得部１１０において取得した複数の経路情報から該経路情報に含まれる各列車の路線情報１１２１と、各列車が到着する番線１１２２と、各列車が発車する発車時刻１１２３と、到着駅を表す到着予定駅１１２４と、から構成される。
【００４５】
経路リスト１１２０ａの各レコードは、経路情報取得部１１０が取得した経路情報の数だけ存在し、各レコードは利用履歴テーブル１０９０の駅名の多い順にソートされる。
【００４６】
尚、本実施例では、経路リスト１１２０ａは、ユーザが利用した駅名の多い順にソートしているが本願はこれに限定しない。例えば、発車時刻１１２３の早い順、番線１１２２の順に並べるようにしてもよいし、経路情報に含まれている別の情報を元にソートするようにしてもよい。
【００４７】
タッチパネル１０５に経路リスト１１２０ａを一定時間表示している間、主制御部１１１は、ユーザによって経路リスト１１２０ａのレコードのいずれかが選択操作されるのを待つ。そして、いずれかのレコードが選択操作されたことを検知すると、主制御部１１１は、選択されたレコードに対応する経路情報を経路情報記憶部１１２から参照し、参照した経路情報を元に詳細情報を生成し、経路情報記憶部１１２に記憶する。そして、主制御部１１１は、生成した詳細情報を、端末制御部１０１を介してタッチパネル１０５に一定時間表示する。
【００４８】
図５ｂは、本発明の携帯端末１０のタッチパネル１０５に一定時間表示される詳細情報１１２０ｂを模式的に表した図である。
【００４９】
図示する様に、詳細情報１１２０ｂには、経路情報に含まれる出発駅１１２５と、乗換駅１１２６と、到着駅１１２７および各路線の路線名を表す路線１１２８と、運賃１１２９が含まれる。
【００５０】
尚、本実施例では、表示する経路情報に、出発駅１１２５と、乗換駅１１２６と、到着駅１１２７および路線１１２８と、運賃１１２９を例に挙げたが本願はこれに限定されない。他にも、当該駅の地図や運行状況等の情報を追加して表示するようにしてもよいし、減らすようにしてもよい。図２の説明に戻る。
【００５１】
一方で、主制御部１１１は、利用履歴テーブル１０９０の出場駅１０９３が更新されたことを検出すると、経路情報記憶部１１２に詳細情報１１２０ｂが記憶されているか否か判定する。
【００５２】
経路情報記憶部１１２に詳細情報１１２０ｂが記憶されている場合、主制御部１１１は、出場駅１０９３が詳細情報１１２０ｂの到着駅１１２７か乗換駅１１２６かそれ以外かを判定する。
【００５３】
出場駅１０９３が到着駅１１２７の場合、主制御部１１１は、目的の駅に到着した旨を一定時間表示し、経路情報記憶部１１２に記憶した経路情報、経路リスト１１２０ａ、詳細情報１１２０ｂを削除する。
【００５４】
出場駅１０９３が乗換駅１１２６の場合、主制御部１１１は、図示しない現在時刻の情報を抽出し、抽出した現在時刻と乗換駅１１２６の発車時刻とを比較して乗遅れか否かを判定する。乗遅れではない場合、主制御部１１１は、経路情報記憶部１１２に記憶した経路情報を一定時間表示する。
【００５５】
乗遅れの場合、または出場駅１０９３が到着駅１１２７、乗換駅１１２６でもない場合（乗り間違いの場合または途中下車）、主制御部１１１は、出場駅１０９３を出発駅、到着駅１１２７を到着駅とする検索条件を経路情報取得部１１０に渡すと共に、経路検索を指示する。そして、経路情報取得部１１０から経路情報を受信すると、主制御部１１１は、当該経路情報を元に詳細情報を生成し、経路情報記憶部１１２に記憶する。そして、主制御部１１１は、生成した詳細情報を、端末制御部１０１を介してタッチパネル１０５に一定時間表示する。
【００５６】
経路情報記憶部１１２は、経路情報取得部１１０で取得した経路情報および、主制御部１１１で生成した経路リスト１１２０ａ、詳細情報１１２０ｂを記憶する記憶部である。経路情報記憶部１１２は、主制御部１１１からの指示により、経路情報、経路リスト１１２０ａ、詳細情報１１２０ｂを記憶・削除・更新する。
【００５７】
図６は、本発明の携帯端末１０の動作フローチャートである。
【００５８】
本フローは携帯端末１０の電源が投入され、電話の発着信受付、および近距離無線通信機能の処理、および電子決済処理時のＩＣカード情報の読出し・書込みが可能な状態から開始される。
【００５９】
まず、携帯端末１０は、ＩＣチップ記憶部１０４への書き込みを検出する（Ｓ１０１）、またはタッチパネル１０５の操作（発信操作を含む）を受け付ける、または通信データを受信（着信を含む）する（Ｓ１２１）のいずれかの状態になるのを待つ。
【００６０】
タッチパネル１０５の操作を受け付ける、または通信データを受信した場合（Ｓ１２１：Ｙｅｓ）、携帯端末１０は、受け付けた操作または、受信した通信データに応じた処理を実行する（Ｓ１２２）。そして、ステップ１０１に戻る。
【００６１】
ＩＣチップ記憶部１０４への書込みを検出した場合（Ｓ１０１：Ｙｅｓ）、携帯端末１０は、ＩＣチップ記憶部１０４に書込まれた「種別」、「日時」、「利用駅」の情報を抽出し、利用履歴テーブルに記憶する（Ｓ１０２）。そして、携帯端末１０は、書込まれた種別１０４１が「入場」か（Ｓ１０３）または、書込まれた種別１０４１が「出場」または「乗継」か（Ｓ１１２）、を判定する。
【００６２】
ここで、「乗継」を検知するとは、携帯端末１０が、ＩＣチップ記憶部１０４に同時に「入場」と「出場」の２つのレコードが書き込まれたことを検出した場合（日時のフィールド１０４２と利用駅のフィールド１０４３が同じレコードが２つ存在する場合）を意味する。
【００６３】
種別１０４１が「入場」の場合（Ｓ１０３：Ｙｅｓ）、携帯端末１０は、詳細情報が記憶されているか否かを判定する（Ｓ１０４）。
【００６４】
詳細情報が記憶されていない場合（Ｓ１０４：Ｎｏ）、携帯端末１０は、記憶している利用履歴テーブル１０９０から全ての降車駅候補を抽出し（Ｓ１０５）、「利用駅」から「降車駅候補」の全ての組合せを検索条件とする経路検索処理を実行する（Ｓ１０６）。
【００６５】
そして、携帯端末１０は、経路検索処理によって経路案内サーバ７０より（全ての）検索結果を取得すると経路リストを生成し、当該経路リストを表示する（Ｓ１０７）。
【００６６】
そして、携帯端末１０は、ユーザによって表示された経路リストのなかから、いずれかの経路を選択する操作を検出する（Ｓ１０８）、または一定時間が経過するまたは表示した経路リストの表示を停止する操作を検出する（Ｓ１０９）、のいずれかの状態になるのを待つ。
【００６７】
経路リストのなかから、いずれかの経路を選択する操作を検出すると（Ｓ１０８：Ｙｅｓ）、当該経路における詳細情報を生成し、経路情報記憶部１１２に詳細情報を記憶するとともに、一定時間経路情報をタッチパネル１０５に表示する（Ｓ１１０）。そして、ステップ１１１へ移行する。
【００６８】
一定時間が経過するまたは表示した経路リストの表示を停止する操作を検出すると（Ｓ１０９：Ｙｅｓ）、携帯端末１０は、経路リストの表示を終了する（Ｓ１１１）。そして、ステップ１０１に戻る。
【００６９】
ステップ１１２で、書込まれた種別１０４１が「出場」または「乗継」である場合（Ｓ１１２：Ｙｅｓ）、携帯端末１０は、経路情報記憶部１１２に詳細情報が記憶されているか否かを判定する（Ｓ１１３）。
【００７０】
詳細情報が記憶されていない場合（Ｓ１１３：Ｎｏ）、携帯端末１０は、ステップ１０１に戻る。
【００７１】
詳細情報が記憶されている場合（１１３：Ｙｅｓ）、携帯端末１０は、更新された利用駅１０４３（または更新された出場駅１０９３）が詳細情報の到着駅１１２７か否かを判定する（Ｓ１１４）。
【００７２】
更新された利用駅１０４３（または更新された出場駅１０９３）が詳細情報の到着駅であった場合（Ｓ１１４：Ｙｅｓ）、携帯端末１０は、タッチパネル１０５に到着駅に到着した旨を所定の時間表示し、経路情報記憶部１０８に記憶している経路リストおよび詳細情報を削除する（Ｓ１１８）。そして、ステップ１０１に戻る。
【００７３】
更新された利用駅１０４３（または更新された出場駅１０９３）が詳細情報の到着駅ではない場合（Ｓ１１４：Ｎｏ）、携帯端末１０は、更新された利用駅１０４３が乗換駅１１２６か否かを判定する（Ｓ１１５）。
【００７４】
更新された利用駅１０４３が乗換駅１１２６であった場合（Ｓ１１５：Ｙｅｓ）、携帯端末１０は、乗換時刻（乗換駅における出発時刻）が現在時刻を過ぎているか否か判定する（Ｓ１１６）。
【００７５】
乗換時刻が現在時刻を過ぎていない場合（Ｓ１１６：Ｎｏ）、携帯端末１０は、事前に記憶していた詳細情報をタッチパネル１０５に一定時間再表示する（Ｓ１１７）。そして、ステップ１０１に戻る。
【００７６】
ステップ１１５で、更新された利用駅１０４３が乗換駅１１２６でない場合（Ｓ１１５：Ｎｏ）、またはステップ１１６で乗換時刻が現在時刻を過ぎていた場合（Ｓ１１６：Ｙｅｓ）、携帯端末１０は、更新された利用駅１０４３を出発駅、経路情報記憶部１１２の到着駅１１２７を到着駅とする新たな経路検索処理を実行する（経路情報を再検索する）（Ｓ１１９）。そして、携帯端末１０は、経路案内サーバ７０より受信した経路情報から詳細情報を生成（再生成）し、経路情報記憶部１１２に記憶、一定時間タッチパネル１０５に表示する（Ｓ１２０）。そして、ステップ１０１に戻る。
【００７７】
ステップ１１２で書込まれた種別１０４１が「出場」または「乗継」でない場合、（種別１０４１が「入場」、「出場」、「乗継」以外であった）（Ｓ１１２：Ｎｏ）、携帯端末１０は、種別１０４１に応じた処理を行う（Ｓ１２３）。そして、ステップ１０１に戻る。
【００７８】
以上、本発明を実施する形態について説明した。
【００７９】
本発明を実施する形態では、携帯端末１０は、自動改札機５０にタッチされると、該自動改札機５０によって書込まれたＩＣチップ情報テーブル１０４０を参照して入場駅の情報を取得するとともに、利用履歴テーブル１０９０から降車駅候補を抽出する。そして、携帯端末１０は、経路案内サーバ７０に、入場駅を出発駅、降車候補駅を到着駅とした経路検索処理を実行し、該経路案内サーバ７０から経路情報（検索結果）を受信すると、当該経路情報から経路リストを生成して自端末にタッチパネル１０５に表示する。これにより、利用者は、事前に検索条件などの情報を登録することなく自動改札機５０にタッチするだけで、入場した駅に対応した路線情報および列車情報を知ることができる。
【００８０】
また、本発明を実施する形態では、携帯端末１０は、利用者によって表示した経路リストいずれかのレコードが選択されると、当該レコードの詳細情報を表示する。これにより、ユーザは、乗車しようとしている列車情報の詳細を知ることができる。
【００８１】
また、本発明を実施する形態では、携帯端末１０は、図６のステップ１１４およびステップ１１５において、自動改札機５０でタッチした駅が到着駅と乗換駅以外の駅である場合、利用駅を「出発駅」と、前記到着駅を「到着駅」とする検索条件の経路検索処理を再度実行する。これにより、到着駅または乗換駅を間違えた場合に、ユーザは自動改札機５０にタッチするだけで再検索した詳細情報を取得することができる。
【００８２】
また、本発明を実施する形態では、携帯端末１０は、図６のステップ１１６で乗換駅において乗り遅れを検出すると、利用駅を「出発駅」と、到着駅を「到着駅」とする検索条件の経路検索処理を再度実行する。これにより、乗換駅において予定していた列車に乗り遅れた場合に、ユーザは自動改札機５０にタッチするだけで再検索した詳細情報を取得することができる。
【００８３】
尚、本発明を実施する形態では、携帯端末１は、「乗継」を検知するとは、ＩＣチップ記憶部１０４に同時に「入場」と「出場」の２つのレコードが書き込まれた場合、即ち乗継する駅において違う路線に移動する際に自動改札機５０を１台のみとしたが、本願はこれに限定しない。例えば、携帯端末１は、経路情報記憶部１１２に詳細情報が記憶されている状態で自動改札機５０にタッチし、出場した駅と到着駅が一致しない場合に、所定時間当該出場駅への入場（再入場）を待つようにしてもよい。そして、所定時間内に前記出場駅への入場を検出したならば、経路情報記憶部１１２に記憶されている詳細情報を再表示し、所定時間経過しても前記出場駅への入場を検出しない場合に、詳細情報を再表示しないまたは詳細情報を削除するようにする。これにより、途中駅で一時的に駅から出場する場合であっても、所定期間内であれば継続して到着駅に着くまでの経路案内のサービスを受けることができる。また、前述の所定時間は駅毎に予め登録されていてもよいし、ユーザによって登録されるようにしてもよい。
【００８４】
尚、本発明を実施する形態では、携帯端末１は、自動改札機５０へのタッチをトリガーとして本発明の案内サービスが実行されるが、本願はこれに限定しない。起動すべき駅または日時情報または特定操作を事前に登録しておき、登録した駅の自動改札機にタッチしたことをトリガーとして、また事前に登録した日時に駅の自動改札機にタッチしたことをトリガーとして本発明の処理を実行するようにしてもよい。これにより、ユーザは、事前登録した合致条件でのみ経路情報または詳細情報を取得することができる。
【００８５】
尚、本発明を実施する形態では、本発明の対象を端末装置として説明しているが、本願はこれに限定しない。例えば、携帯端末１がダウンロード可能なアプリケーションソフトであってもよいし、本発明の構成の一部またはすべてを特定のサーバに搭載し、当該サーバが携帯端末１を遠隔制御して表示にするようにしてもよい。
【符号の説明】
【００８６】
１０・・・携帯端末、
１０１・・・端末制御部、
１０２・・・無線通信部、
１０３・・・ＩＣチップ制御部、
１０４・・・ＩＣチップ記憶部、
１０５・・・タッチパネル、
１０６・・・送受話部、
１０７・・・呼制御部、
１０８・・・ＩＣ情報監視部、
１０９・・・利用履歴記憶部、
１１０・・・経路情報取得部、
１１１・・・主制御部、
１１２・・・経路情報記憶部、
２０・・・無線基地局、
３０・・・ネットワーク、
４０・・・ＩＣ管理サーバ、
５０・・・自動改札機、
６０・・・駅務システム、
７０・・・経路案内サーバ
【図１】
2017220101.tif 000003
【図２】
2017220101.tif 000004
【図３】
2017220101.tif 000005
【図４】
2017220101.tif 000006
【図５ａ】
2017220101.tif 000007
【図５ｂ】
2017220101.tif 000008
【図６】
2017220101.tif 000009